(57)【要約】      （修正有）【課題】排水管継手と上部受け口との接続部の目視確認を容易にするとともに、コンクリートスラブの下面からの排水管継手の突出寸法が変化しても対応が容易な延焼防止構造を提供する。【解決手段】延焼防止機能付きソケットは、上部受け口４１０と下部受け口４３１とを備える管体４１，４３と、上部受け口４１０の下側で管体４１，４３の周囲に装着されており、火災の熱で膨張するように構成された延焼防止材４４と、上部受け口４１０の外周面から延焼防止材４４までを被覆するとともに、延焼防止材４４を支持できる構成で、延焼防止材４４の膨張方向をガイド可能な金属製カバー４５とを有しており、金属製カバー４５の外周面には段部４５１ｄが設けられており、その段部４５１ｄに対してコンクリートスラブの下面に取付けられた支持部材が下方から係合することで、金属製カバー４５と管体４１，４３とが吊り支持される。【選択図】図１
2013096116.tif 000002
【特許請求の範囲】
【請求項１】
集合住宅の上階と下階とを仕切るコンクリートスラブの貫通孔に挿通された排水管継手の下端挿し口が水密な状態で挿抜可能に連結される上部受け口と、排水立て管の上端挿し口が挿入固定される下部受け口とを備える樹脂製の管体と、
前記上部受け口の下側で管体の周囲に装着されており、火災の熱で膨張するように構成された不燃性の延焼防止材と、
前記管体の上部受け口の外周面から前記延焼防止材までを被覆するとともに、前記延焼防止材を支持できる構成で、前記延焼防止材が半径方向内側に膨張するように、その延焼防止材の膨張方向をガイド可能な金属製カバーとを有しており、
前記金属製カバーの外周面には段部が設けられており、その段部に対して前記コンクリートスラブの下面に取付けられた支持部材が下方から係合することで、前記金属製カバーと前記管体とが吊り支持される構成であることを特徴とする延焼防止機能付きソケット。
【請求項２】
請求項１に記載の延焼防止機能付きソケットであって、
前記金属製カバーの外周面、及びその金属製カバーから露出している前記管体の外周面は防音材によって覆われており、前記金属製カバーは前記防音材の外側から前記支持部材によって支持される構成であることを特徴とする延焼防止機能付きソケット。
【請求項３】
請求項１に記載の延焼防止機能付きソケットであって、
前記上部受け口の外周面と前記金属製カバーとの間の空間には、防音材が詰められていることを特徴とする延焼防止機能付きソケット。
【発明の詳細な説明】
【技術分野】
【０００１】
本発明は、火災時における延焼防止機能を備えるソケットに関する。
【背景技術】
【０００２】
火災時における延焼防止機能を備える排水設備が特許文献１に記載されている。
特許文献１の排水設備は、図１０に示すように、集合住宅の上階と下階とを仕切るコンクリートスラブＣＳの貫通孔ＣＨに挿通される排水管継手１０１を備えている。排水管継手１０１は、その排水管継手１０１の下端挿し口１０１ｓが下階の排水立て管１０３の上部受け口１０３ｕに挿入されることで、下階の排水立て管１０３と水密な状態で連結される。さらに、排水管継手１０１の上部受け口１０１ｕには、上階の排水立て管１０３の下端挿し口（図示省略）が挿入されて、その上階の排水立て管１０３と排水管継手１０１とが水密な状態で連結される。
【０００３】
また、下階の排水立て管１０３の上部受け口１０３ｕの周囲には、延焼防止装置１０４が配置されている。延焼防止装置１０４は、火災の熱で膨張するリング状の延焼防止材１０４ｎと、その延焼防止材１０４ｎを排水立て管１０３の上部受け口１０３ｕの下側に位置決め保持する筒状部材１０５とを備えている。筒状部材１０５は、筒部１０５ｔと、筒部１０５ｔの上端に形成されたフランジ部１０５ｆと、筒部１０５ｔの下端に形成された内フランジ部１０５ｅとから構成されている。筒状部材１０５のフランジ部１０５ｆは、ホールインアンカ＆ボルト１０６によってコンクリートスラブＣＳの埋め戻しモルタルＭに固定されるようになっている。そして、筒状部材１０５の内フランジ部１０５ｅ上に延焼防止材１０４ｎがセットされている。即ち、コンクリートスラブＣＳから突出する排水管継手１０１の胴部、及び下端挿し口１０１ｓと、下階の排水立て管１０３の上部受け口１０３ｕの周囲が筒状部材１０５によって覆われるようになる。
これにより、延焼防止材１０４ｎは、火災時の熱で筒状部材１０５の筒部１０５ｔと内フランジ部１０５ｅとにガイドされて半径方向内側に膨張するようになり、排水立て管１０３が溶融した状態でも延焼防止材１０４ｎが排水管継手１０１の下端挿し口１０１ｓの下側を閉塞できるようになる。
【先行技術文献】
【特許文献】
【０００４】
【特許文献１】特開２００８−２０８６５３号公報
【発明の概要】
【発明が解決しようとする課題】
【０００５】
上記した排水設備では、排水管継手１０１の下端挿し口１０１ｓと排水立て管１０３の上部受け口１０３ｕの周囲が延焼防止装置１０４の筒状部材１０５によって覆われる構成である。このため、排水管継手１０１の下端挿し口１０１ｓと排水立て管１０３の上部受け口１０３ｕとの接続部を目視することができない。したがって、排水立て管１０３の上部受け口１０３ｕに対する排水管継手１０１の下端挿し口１０１ｓの挿入代を確認することが困難である。さらに、排水立て管１０３の上部受け口１０３ｕと排水管継手１０１の下端挿し口１０１ｓ間の漏水確認も難しい。
また、延焼防止装置１０４の筒状部材１０５では、コンクリートスラブＣＳの下面に固定されるフランジ部１０５ｆから延焼防止材１０４ｎを支持する内フランジ部１０５ｅまでの寸法は一定である。このため、建物によってコンクリートスラブＣＳの厚み寸法が異なることで、そのコンクリートスラブＣＳの下面からの排水管継手１０１の突出寸法が変化した場合には、その排水管継手１０１の突出寸法に応じて前記筒状部材１０５を作り直す必要があり、経済的でない。
【０００６】
本発明は、上記問題点を解決するためになされたものであり、本発明の技術的課題は、  排水管継手の下端挿し口と上部受け口との接続部の目視確認を容易にするとともに、コンクリートスラブの下面からの排水管継手の突出寸法が変化しても対応が容易な延焼防止構造を提供することである。
【課題を解決するための手段】
【０００７】
上記した課題は、各請求項の発明によって解決される。
請求項１の延焼防止機能付きソケットは、集合住宅の上階と下階とを仕切るコンクリートスラブの貫通孔に挿通された排水管継手の下端挿し口が水密な状態で挿抜可能に連結される上部受け口と、排水立て管の上端挿し口が挿入固定される下部受け口とを備える樹脂製の管体と、前記上部受け口の下側で管体の周囲に装着されており、火災の熱で膨張するように構成された不燃性の延焼防止材と、前記管体の上部受け口の外周面から前記延焼防止材までを被覆するとともに、前記延焼防止材を支持できる構成で、前記延焼防止材が半径方向内側に膨張するように、その延焼防止材の膨張方向をガイド可能な金属製カバーとを有しており、前記金属製カバーの外周面には段部が設けられており、その段部に対して前記コンクリートスラブの下面に取付けられた支持部材が下方から係合することで、前記金属製カバーと前記管体とが吊り支持される構成であることを特徴とする。
【０００８】
本発明によると、管体の上部受け口の外周面から延焼防止材までを被覆する金属製カバーは、コンクリートスラブの下面に取付けられた支持部材によって吊り支持されるように構成されている。このため、火災時の熱で管体、及び排水立て管が溶融しても、金属製カバーの位置が変化することがなく、その金属製カバーに被覆、支持される延焼防止材は、定位置で半径方向内側に膨張して排水流路を閉塞できるようになる。即ち、延焼防止材が膨張することで排水管継手の下端挿し口の近傍を確実に閉塞できるようになる。
また、金属製カバーは、管体の上部受け口の外周面から延焼防止材までを被覆する構成で、排水管継手の周囲を覆うことはないため、その上部受け口と排水管継手の下端挿し口との接続部の目視確認が容易になる。また、前記接続部の漏水確認も容易になる。
さらに、金属製カバー及び管体は、支持部材を介してコンクリートスラブの下面に吊り支持される構成であるため、コンクリートスラブの下面からの排水管継手の突出寸法が変化しても、支持部材によって金属製カバー及び管体の高さ調整を行うことにより対応が容易である。
【０００９】
請求項２の発明によると、金属製カバーの外周面、及びその金属製カバーから露出している管体の外周面は防音材によって覆われており、前記金属製カバーは前記防音材の外側から前記支持部材によって支持される構成であることを特徴とする。
このように、金属製カバーの外周面、及びその金属製カバーから露出している管体の外周面が防音材によって覆われているため、排水の流下音の伝播を抑えることができる。
さらに、金属製カバーが防音材に覆われるため、金属製カバーが外気に直接的にふれることがなく、防露性に優れている。
【００１０】
請求項３の発明によると、上部受け口の外周面と金属製カバーとの間の空間には、防音材が詰められていることを特徴とする。
このため、防音材の表面を樹脂製の表面材（防水材）で覆う必要がなく、コスト的に有利になる。
【発明の効果】
【００１１】
本発明によると、排水管継手の下端挿し口と上部受け口との接続部の目視確認が容易になる。また、コンクリートスラブの下面からの排水管継手の突出寸法が変化しても対応が容易になる。
【図面の簡単な説明】
【００１２】
【図１】本発明の実施形態１に係る延焼防止機能付きソケットと排水立て管の縦断面図である。
【図２】前記延焼防止機能付きソケットに使用される金属製カバーと延焼防止材とを表す拡大図（図１のII矢視拡大図）である。
【図３】前記延焼防止機能付きソケットと排水管継手との接続状態を表す縦断面図である。
【図４】前記延焼防止機能付きソケットの外形図である。
【図５】変更例に係る延焼防止機能付きソケットと排水立て管の縦断面図である。
【図６】変更例に係る延焼防止機能付きソケットの外形図である。
【図７】変更例に係る延焼防止機能付きソケットと排水立て管の縦断面図である。
【図８】変更例に係る延焼防止機能付きソケットの外形図である。
【図９】変更例に係る金属製カバーを内側から見た斜視図である。
【図１０】従来の延焼防止装置を表す縦断面図である。
【発明を実施するための形態】
【００１３】
［実施形態１］
以下、図１〜図９に基づいて本発明の実施形態１に係る延焼防止機能付きソケット４０について説明する。延焼防止機能付きソケット４０は、集合住宅の排水設備１０において使用される排水立て管２０の上端部に固定されるソケットであり、上階の排水管継手３０の下端挿し口３６が挿入可能に構成されている。
＜排水設備１０の概要について＞
先ず、延焼防止機能付きソケット４０の詳細について説明する前に、図３等に基づいて、排水設備１０の概要について説明する。
排水設備１０は、集合住宅の上階と下階とを仕切るコンクリートスラブＣＳを貫通して各階に設置されている排水管継手３０と、集合住宅の高さ方向に配管されて各階の排水管継手３０をつなぐ排水立て管２０と、各階でコンクリートスラブＣＳ上を横方向に配管されて各機器からの排水を受ける排水横枝管（図示省略）とから構成されている。
排水管継手３０は、上階の排水立て管（図示省略）、汚水用、及び雑排水用の排水横枝管（図示省略）を下階の排水立て管２０に接続する鋳鉄製の管継手であり、前述のように、コンクリートスラブＣＳの貫通孔ＣＨに通される円筒状の胴部３１を備えている。なお、貫通孔ＣＨは、排水管継手３０の胴部３１が通された後、モルタル（図示省略）にて埋め戻される。
【００１４】
排水管継手３０の胴部３１の上端部には、上階の排水立て管の下端挿し口（図示省略）が挿入接続される上部受け口３２が形成されている。また、胴部３１の側面には、その胴部３１の軸心に対してほぼ直角に汚水用、及び雑排水用の排水横枝管（図示省略）がそれぞれ挿入接続される横枝管受け口３４，３５が形成されている。さらに、排水管継手３０の胴部３１の下端部には、排水立て管２の上部に固定された延焼防止機能付きソケット４０に挿入接続される下端挿し口３６が設けられている。
排水管継手３０の外周面は、例えば、裏側がウレタンフォーム、表側がオレフィン系樹脂等からなる防音材３８によって覆われている。
さらに、排水管継手３０は、継手支持治具３９によって胴部３１の軸線がコンクリートスラブＣＳの貫通孔ＣＨの軸線と一致するように、かつ上部受け口３２の高さ位置がコンクリートスラブＣＳの表面から予め決められた高さ位置となるように位置決め固定されている。
【００１５】
排水立て管２０は、硬質塩化ビニル製の樹脂管である内管２２と、その内管２２の外周面を覆う防音材２４とから構成されている。防音材２４は、内管２２を覆うウレタンフォーム、又はグラスウールと、そのウレタンフォーム等を覆うオレフィン系樹脂と、そのオレフィン系樹脂を覆う表面材であるシュリンクフィルム等により構成されている。
排水立て管２０の内管２２は、一端側と他端側とが一定寸法だけ防音材２４から露出することで上端挿し口２２ｕと下端挿し口（図示省略）とが形成されている。そして、排水立て管２０の上端挿し口２２ｕが、図１に示すように、延焼防止機能付きソケット４０の下部受け口４３１に挿入されて、例えば、接着剤により接着されることで、排水立て管２０と延焼防止機能付きソケット４０とが一体化される。
【００１６】
＜延焼防止機能付きソケット４０について＞
延焼防止機能付きソケット４０は、図３に示すように、上階の排水管継手３０と下階の排水立て管２０とを接続するとともに、火災時に排水流路を閉塞することで下階の火災が上階に燃え広がるのを防止するためのソケットである。
延焼防止機能付きソケット４０は、図１に示すように、上部受け口４１０を備える上部管体４１と、下部受け口４３１を備える下部管体４３と、上部受け口４１０の下側で下部管体４３の周囲に装着された延焼防止材４４と、上部受け口４１０の外周面から延焼防止材４４までを被覆する金属製カバー４５と、金属製カバー４５の外周面を覆う上部防音材４７と、その金属製カバー４５から露出している下部管体４３の外周面を覆う下部防音材４８とから構成されている。
【００１７】
＜上部管体４１、下部管体４３について＞
上部管体４１は、上側に上部受け口４１０、下側に下部挿し口４１２を備える塩化ビニル製の管体であり、上部受け口４１０と下部挿し口４１２との間に段差状の境界部４１３が形成されている。上部受け口４１０の内径寸法は、排水管継手３０の下端挿し口３６の外径寸法より若干大きな値に設定されている。
ここで、排水管継手３０の下端挿し口３６の外径寸法は、排水立て管２０の上端挿し口２２ｕ（下端挿し口）の外径寸法と等しい値に設定されている。
また、上部管体４１の下部挿し口４１２の外径寸法は、排水立て管２０の上端挿し口２２ｕの外径寸法と等しい値に設定されている。このため、図１に示すように、上部管体４１の下部挿し口４１２の内径寸法は上部受け口４１０の内径寸法よりも小さく設定されている。したがって、下部挿し口４１２と上部受け口４１０間の境界部４１３の内周面４１３ｔは、下部挿し口４１２から上部受け口４１０にかけて徐々に拡開するテーパ状に形成されている。
【００１８】
上部管体４１の上部受け口４１０の上端部にはリング状のシール材４１５が嵌め込まれる断面Ｌ形の溝４１０ｍが形成されている。そして、上部受け口４１０の上端部に前記シール材４１５の外れ防止を図るリンク状のキャップ４１６が被せられている。なお、キャップ４１６の中央開口４１６ｈの内径寸法は上部受け口４１０の内径寸法よりも若干大きな値に設定されている。
このため、上部管体４１の上部受け口４１０に排水管継手３０の下端挿し口３６が挿入されると、シール材４１５の働きで排水管継手３０の下端挿し口３６と上部管体４１の上部受け口４１０間が水密な状態にシールされる。
また、上部受け口４１０の外周面には、円周方向に延びる突条４１０ｔが高さ方向に複数本（図１では３本）形成されている。
【００１９】
下部管体４３は、上側と下側に等しい内径寸法の上部受け口４３０と下部受け口４３１を備える塩化ビニル製の管体であり、上部受け口４３０と下部受け口４３１との間に内フランジ状の挿入ストッパ４３３が形成されている。ここで、上部受け口４３０と下部受け口４３１の内径寸法は、排水立て管２０の上端挿し口２２ｕ（下端挿し口）の外径寸法と等しい値に設定されている。
下部管体４３の上部受け口４３０には、図１に示すように、接着剤が塗布された上部管体４１の下部挿し口４１２が挿入される。これにより、上部管体４１と下部管体４３が接着により一体化される。
なお、本実施形態では、上部管体４１と下部管体４３とを別々に成形してから接着する例を示したが、上部管体４１と下部管体４３とを一体成形することも可能である。
【００２０】
＜延焼防止材４４について＞
延焼防止材４４は、火災時の熱（約200℃以上）で発泡膨張する不燃性の部材であり、上部管体４１、下部管体４３、及び排水立て管２０が熱で溶融したときに排水管継手３０の下端挿し口３６よりも下側の排水流路を閉塞するためのものである。延焼防止材４４は、例えば、熱膨張性黒鉛等と、炭化水素等の有機物質、窒素含有有機化合物と、加熱により発泡する発泡剤と、膨張性の耐熱物質と、バインダー成分としての樹脂あるいはゴム等が混合されることで構成される。
延焼防止材４４は、下部管体４３の外径寸法よりも大きな内径寸法を備える円筒形に成形されており、その延焼防止材４４の軸方向における寸法は、下部管体４３の上部受け口４３０の深さ寸法（軸方向の寸法）よりも十分小さな値に設定されている。
延焼防止材４４は、図２に示すように、火災時の熱で溶融しない材料からなる耐火性シート４６０よって覆われている。耐火性シート４６０は、延焼防止材４４の軸長寸法の約３倍を超える幅寸法と、その延焼防止材４４の外周面の長さ寸法より大きな長さ寸法とを備える角形のシートである。耐火性シート４６０は、延焼防止材４４の外周面を覆う中央部分４６１と、延焼防止材４４の上端面を覆って内周面側に折り込まれる上側部分４６２と、延焼防止材４４の下端面を覆って内周面側に折り込まれ、前記上側部分４６２の上に重ねられる下側部分４６４とから構成されている。
ここで、耐火性シート４６０の材質としては、例えば、シリカ繊維布、アルミナ繊維布等が好適に使用される。
【００２１】
＜金属製カバー４５について＞
金属製カバー４５は、上部管体４１の上部受け口４１０の外周面から延焼防止材４４までを被覆するとともに、その延焼防止材４４を支持可能な二つ割りタイプの略円筒形カバーである。金属製カバー４５は、延焼防止材４４が火災時に半径方向内側に膨張できるように、その延焼防止材４４の膨張方向をガイドできるように構成されている。
金属製カバー４５は、図１に示すように、上部受け口４１０の外周面を覆う受け口カバー部４５１と、受け口カバー部４５１から縮径状態で上方に突出する突出部４５２と、上部管体４１の境界部４１３を覆う溝状の境界カバー部４５３と、延焼防止材４４を覆うとともに、その延焼防止材４４を支持する延焼ガイド部４５５とから構成されている。
【００２２】
受け口カバー部４５１は金属製カバー４５の最大外径部分であり、空間を介した状態で上部受け口４１０の外周面を覆えるように構成されている。受け口カバー部４５１の途中位置には支持部材５０（後記する）が下方から係合するリング状の段部４５１ｄが形成されている。
金属製カバー４５の境界カバー部４５３は、図１に示すように、金属製カバー４５の最小外径部分である。境界カバー部４５３と後記する延焼ガイド部４５５との間には、延焼防止材４４の上面を押える天井部４５３ｅが形成されている。
【００２３】
金属製カバー４５の延焼ガイド部４５５は、図２に示すように、外壁部４５５ｗと、内フランジ部４５５ｂとにより縦長のＬ字形に形成されており、この内フランジ部４５５ｂの上に延焼防止材４４が配置されるようになっている。
上記構成により、延焼防止材４４が火災時の熱で膨張すると、前記延焼防止材４４と、その延焼防止材４４を覆う耐火性シート４６０は、金属製カバー４５の延焼ガイド部４５５によって半径方向外側から押えられる。このため、膨張する延焼防止材４４は耐火性シート４６０の上側部分４６２と下側部分４６４とを押し開き（展開させて）半径方向内側に移動するようになる。
【００２４】
＜上部防音材４７、下部防音材４８について＞
金属製カバー４５の受け口カバー部４５１から延焼ガイド部４５５の外壁部４５５ｗまでは、図１に示すように、上部防音材４７によって覆われている。上部防音材４７には、例えば、無機質混入オレフィン系樹脂等が使用される。
また、上部防音材４７と延焼ガイド部４５５の外壁部４５５ｗとの間には、例えば、珪素繊維からなる断熱材４７ｗが設けられている。
上部防音材４７は、例えば、ポリエステル系樹脂収縮フィルム等からなる表面材（図示省略）でラッピングすることにより、金属製カバー４５の外周面及び下部管体４３の外周面に固定される。
さらに、金属製カバー４５から露出する下部管体４３の外周面は、下部防音材４８によって覆われている。下部防音材４８は、耐火性の防音材であり、例えば、ガラス繊維の周囲を無機質混入オレフィン系樹脂等で覆ったものが使用される。
【００２５】
＜支持部材５０について＞
上記構成の延焼防止機能付きソケット４０は、図３に示すように、コンクリートスラブＣＳの下面に固定された支持部材５０によって吊り支持される。
支持部材５０は、コンクリートスラブＣＳの貫通孔ＣＨと同軸位置で、予め決められた高さ位置となるように、延焼防止機能付きソケット４０を位置決め支持するための部材である。
支持部材５０は、図１、図４等に示すように、延焼防止機能付きソケット４０の上部受け口４１０の下側部分を半径方向外側から締める半円状の第１バンド片５１、第２バンド片５２と、各々のバンド片５１，５２の中央外側面から半径方向外側に突出する横腕部５１１，５２1と、図３に示すように、各々の横腕部５１１，５２１の突出端をコンクリートスラブＣＳの下面に連結する連結軸部５３，５４とを備えている。
【００２６】
半円状の第１バンド片５１、第２バンド片５２の円周方向両端部は、図４に示すように、略90°半径方向外側に折り曲げられることでフランジ部５１ｆ，５２ｆが形成されている。そして、第１バンド片５１の両フランジ部５１ｆと第２バンド片５２の両フランジ部５２ｆとがボルト＆ナットＢＮにより連結される。これにより、第１バンド片５１、第２バンド片５２が円環状に形成され、さらにボルト＆ナットＢＮの締め付け量を調整することで前記円環の内径寸法を調整できるようになる。
なお、第１バンド片５１と第２バンド片５２との円周方向片側の連結構造として、フランジ部５１ｆ，５２ｆとボルト＆ナットＢＮの代わりに、例えば、ヒンジ機構等を使用することも可能である。
第１バンド片５１、第２バンド片５２は、図１に示すように、延焼防止機能付きソケット４０の上部防音材４７を介して金属製カバー４５のリング状の段部４５１ｄに下方から係合可能なように、延焼防止機能付きソケット４０の外周面に取付けられる。
【００２７】
各々のバンド片５１，５２にそれぞれ形成された横腕部５１１，５２１の突出端には、図３、図４に示すように、連結軸部５３，５４の下側雄ネジ部５３ｂ，５４ｂが通される貫通孔５１１ｈ，５２１ｈが形成されている。そして、第１バンド片５１、第２バンド片５２の横腕部５１１，５２１が連結軸部５３，５４の下側雄ネジ部５３ｂ，５４ｂに螺合された上下のナットＮによって挟持されるようになっている。
また、前記連結軸部５３，５４の上部に形成された上側雄ネジ部５３ｕ，５４ｕがコンクリートスラブＣＳの下面の定位置に固定されたホールインアンカ５６の雌ネジにそれぞれ螺合できるように構成されている。
上記構成により、連結軸部５３，５４の下側雄ネジ部５３ｂ，５４ｂに対するナットＮの螺合状態を調整することで横腕部５１１，５２１を備える第１バンド片５１、第２バンド片５２、及び延焼防止機能付きソケット４０の高さ調整が可能になる。
【００２８】
＜施工手順について＞
次に、上記した延焼防止機能付きソケット４０を使用した排水設備１０の施工手順を簡単に説明する。
先ず、図１に示すように、所定長さ寸法に切断された排水立て管２０の上端挿し口２２ｕに、延焼防止機能付きソケット４０の下部管体４３の下部受け口４３１が接着剤を塗布された状態で接続される。
次に、延焼防止機能付きソケット４０の下部防音材４８と排水立て管２０の防音材２４との合わせ目を塞ぐようにジョイントテープ（図番省略）が巻かれる。これにより、排水立て管２０に対する延焼防止機能付きソケット４０の固定が完了する。
次に、下階に設置された排水管継手３０（図示省略）の上部受け口３２に対して、延焼防止機能付きソケット４０を備える排水立て管２０の下端挿し口（図示省略）が挿入接続される。そして、延焼防止機能付きソケット４０が支持部材５０によってコンクリートスラブＣＳの下面に吊り支持される。このとき、前記支持部材５０の連結軸部５３，５４の長さ寸法を調整することで、コンクリートスラブＣＳの下面から突出する上階の排水管継手３０の突出寸法に応じて延焼防止機能付きソケット４０の高さ位置を調整できるようになる。
【００２９】
次に、上階の排水管継手３０の胴部３１がコンクリートスラブＣＳの貫通孔ＣＨに通され、その排水管継手３０の下端挿し口３６が延焼防止機能付きソケット４０の上部管体４１の上部受け口４１０に挿入接続される。そして、上階の排水管継手３０が継手支持治具３９によってコンクリートスラブＣＳの上面に固定される。
次に、排水管継手３０の胴部３１を覆う防音材３８と延焼防止機能付きソケット４０の金属製カバー４５の突出部４５２との合わせ目を塞ぐようにジョイントテープ（図番省略）が巻かれる。これにより、延焼防止機能付きソケット４０に対する上階の排水管継手３０の接続が完了する。
このように、排水設備１０は、下階の排水管継手３０の上部受け口３２に排水立て管２０の下端挿し口が接続され、さらにその排水立て管２０の上端の延焼防止機能付きソケット４０に上階の排水管継手３０の下端挿し口３６が接続されるように、下から上に順番に積み上げられるように施工される。
【００３０】
＜延焼防止機能付きソケット４０の火災時の動作について＞
次に、延焼防止機能付きソケット４０の火災時の動作について説明する。
火災が発生すると火災の熱で排水立て管２０、及び延焼防止機能付きソケット４０の上部管体４１、下部管体４３が共に溶融する。このとき、延焼防止機能付きソケット４０の金属製カバー４５は支持部材５０によってコンクリートスラブＣＳの下面に吊り支持されているため、排水立て管２０等が溶融しても上階の排水管継手３０に対する金属製カバー４５の位置が変化することはない。そして、火災の熱で金属製カバー４５に支持されている延焼防止材４４が発泡膨張するようになる。前述のように、延焼防止材４４は、図１、図２に示すように、金属製カバー４５の境界カバー部４５３と延焼ガイド部４５５によって上面側と外周面側と下面側との三方が覆われている。さらに、延焼防止材４４は、耐火性シート４６０よって覆われている。
このため、延焼防止材４４が火災時の熱で膨張すると、前記延焼防止材４４と、その延焼防止材４４を覆う耐火性シート４６０は、金属製カバー４５の延焼ガイド部４５５によって半径方向外側から押えられる。このため、膨張する延焼防止材４４は耐火性シート４６０の上側部分４６２と下側部分４６４とを押し開き（展開させて）半径方向内側に移動するようになる。これにより、排水管継手３０の下端挿し口３６より下側の排水流路が発泡膨張した延焼防止材４４により閉塞されるようになる。この結果、火災の延焼防止が図られる。
【００３１】
＜延焼防止機能付きソケット４０の長所について＞
本発明によると、延焼防止機能付きソケット４０の上部受け口４１０の外周面から延焼防止材４４までを被覆する金属製カバー４５は、コンクリートスラブＣＳの下面に取付けられた支持部材５０によって支持されている。このため、火災時に延焼防止機能付きソケット４０の管体４１，４３、及び排水立て管２０が熱で溶融しても、金属製カバー４５の位置が変化することがなく、その金属製カバー４５に被覆される延焼防止材４４は、定位置で半径方向内側に膨張して排水流路を閉塞できるようになる。即ち、排水管継手３０の下端挿し口３６の近傍を確実に閉塞できるようになる。
また、金属製カバー４５は、管体４１，４３の上部受け口４１０の外周面から延焼防止材４４までを被覆する構成で、排水管継手３０の周囲を覆うことはないため、その上部受け口４１０と排水管継手３０の下端挿し口３６との接続部の目視確認が容易になる。また、前記接続部の漏水確認も容易になる。
【００３２】
さらに、金属製カバー４５及び管体４１，４３は、支持部材５０を介してコンクリートスラブＣＳの下面に吊り支持される構成であるため、コンクリートスラブＣＳの下面からの排水管継手３０の突出寸法が変化しても、支持部材５０により金属製カバー４５及び管体４１，４３の高さ調整を行うことで対応が容易である。
さらに、金属製カバー４５の外周面、及びその金属製カバー４５から露出している下部管体４３の外周面が防音材４７，４８によって覆われているため、排水の流下音の伝播を抑えることができる。さらに、金属製カバー４５が防音材４７に覆われるため、金属製カバー４５が外気に直接的にふれることがなく、防露性に優れている。
【００３３】
＜変更例＞
ここで、本発明は上記実施形態に限定されるものではなく、本発明の要旨を逸脱しない範囲における変更が可能である。例えば、本実施形態では、図１に示すように、支持部材５０の第１バンド片５１、第２バンド片５２で延焼防止材４４を覆う金属製カバー４５の延焼ガイド部４５５を半径方向外側から拘束できるようにするため、受け口カバー部４５１の中央よりも下側の位置に第１バンド片５１、第２バンド片５２が下方から係合するリング状の段部４５１ｄを形成する例を示した。しかし、図５、図６に示すように、金属製カバー４５の形状を変えて、受け口カバー部４５１の上部に第１バンド片５１、第２バンド片５２が下方から係合するリング状の段部４５１ｄを形成することも可能である。
これにより、支持部材５０の連結軸部５３，５４の長さ寸法を小さくすることが可能になる。
また、本実施形態では、金属製カバー４５の外周面を上部防音材４７で覆う例を示したが、図７、図８に示すように、金属製カバー４５を露出させて、その金属製カバー４５と上部管体４１の上部受け口４１０との間の空間部に防音材４９を詰める構成でも可能である。
ここで、防音材４９には、例えば、耐熱性を有するグラスウール等が使用される。このように、防音材４９を金属製カバー４５の内側に詰める構造のため、防音材４９の防水を考慮する必要がなくなり、コスト低減を図ることができる。
【００３４】
また、図７の二点鎖線で示すように、金属製カバー４５の境界カバー部４５３にリング状の段部を形成するとともに、第１バンド片５１、第２バンド片５２でその金属製カバー４５の延焼ガイド部４５５を半径方向外側から拘束することも可能である。これにより、延焼防止材４４が膨張する際、その延焼防止材４４を半径方向外側から押える際の強度を向上させることができる。
また、本実施形態では、金属製カバー４５の外周面にリング状の段部４５１ｄを形成し、これらの段部４５１ｄに第１バンド片５１、第２バンド片５２を下方から係合させる例を示した。しかし、図８に示すように、金属製カバー４５の外周面に円弧状の突条部材５２ｄを円周方向に複数個溶接等して、これらの突条部材５２ｄにより形成された段部に第１バンド片５１、第２バンド片５２を下方から係合させる構成でも可能である。
また、本実施形態では、延焼防止材４４を耐火性シート４６０で覆う例を示した。しかし、耐火性シート４６０を省略し、図９に示すように、金属製カバー４５の延焼ガイド部４５５に折り返し部４５５ｋを形成しても良い。ここで、折り返し部４５５ｋには、その折り返し部４５５ｋの上端から下端（内フランジ部４５５ｂ）まで到達する切欠き４５５ｃを円周方向複数箇所に形成するようにする。これにより、延焼防止材４４が火災時の熱で膨張したときに、前記折り返し部４５５ｋが膨張する延焼防止材４４に押されて半径方向内側に倒れ（展開し）、その延焼防止材４４を半径方向内側にガイドするようになる。
また、本実施形態では、図３に示すように、排水設備１０において使用される排水管継手３０の外周面を裏側がウレタンフォーム、表側がオレフィン系樹脂等からなる防音材３８で覆う例を示した。しかし、排水管継手３０の外周面を覆う防音材３８を省略することも可能である。
【００３５】
また、本実施形態に係る延焼防止機能付きソケット４０を構成する上部管体４１及び下部管体４３は透明塩ビ製であることが好ましい。特に、下部管体４３を透明塩ビ製にすることで、現場において排水立て管２０の上端挿し口２２ｕを下部管体４３に接続する際、仮に、接着剤の塗り忘れや挿入代不足があったとしても、その発見が容易になる。
さらに、本実施形態に係る延焼防止機能付きソケット４０を、やりとり更新工法（本出願人による先願公報（特願2008-325855号（特開2009-174307号））参照）に使用できるように、上部受け口４１０の内径寸法Dと挿入深さ寸法Ｈ（図１参照）とを設定するのが好ましい。
【符号の説明】
【００３６】
２０・・・・排水立て管
２２ｕ・・・上端挿し口
３０・・・・排水管継手
３６・・・・下端挿し口
４０・・・・延焼防止機能付きソケット
４１・・・・上部管体（管体）
４１０・・・上部受け口
４３・・・・下部管体（管体）
４４・・・・延焼防止材
４５・・・・金属製カバー
４７・・・・上部防音材（防音材）
４８・・・・下部防音材（防音材）
４９・・・・防音材
５０・・・・支持部材
４３１・・・下部受け口
ＣＨ・・・・貫通孔
ＣＳ・・・・コンクリートスラブ
【図１】
2013096116.tif 000003
【図２】
2013096116.tif 000004
【図３】
2013096116.tif 000005
【図４】
2013096116.tif 000006
【図５】
2013096116.tif 000007
【図６】
2013096116.tif 000008
【図７】
2013096116.tif 000009
【図８】
2013096116.tif 000010
【図９】
2013096116.tif 000011
【図１０】
2013096116.tif 000012